【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
（ａ）画像生成機のサブシステムおよび部品のすべての動作を制御するための制御サブシステムと、
（ｂ）画像形成表面を有する可動画像形成部材と、
（ｃ）溶融した融解液状の相変化インクの液滴を画像形成表面に噴射して画像を形成するため制御サブシステムに接続されたプリントヘッドシステムと、
（ｄ）加熱および溶融される相変化インクの固形片を供給するための少なくとも一つのインク供給源と、
（ｅ）相変化インクの固形片を加熱して溶融させて溶融した融解液状インクにするため少なくとも一つのインク供給源と関連する溶融アセンブリと、
を備え、
溶融アセンブリは、
複数の離間フィンによるアレイであって、
相変化インクの固形片を受け取るための上面と、
溶融インクを吐出するための底面と、
接触状態にある固形片を溶融させるための複数の溶融表面と、
を画定し、
複数の離間フィンのうち少なくとも２つのフィンは、実質的に平坦なプレートの形を有し、アレイの上面を画定する上端と、下面を画定する底端を含み、底端は、複数の三角形形状を有し溶融したインクの滴下点となる複数の頂点を形成する複数の離間フィンによるアレイと、
複数のフィンの間に延在してこれと熱伝達接触状態にある複数の熱伝達手段であって、それぞれの熱伝達手段は、熱伝達手段と熱伝達接触状態にあるそれぞれのフィンを加熱する加熱要素を有する複数の熱伝達手段と、
を含む、相変化インク画像生成機。
【請求項２】
複数のフィンは、相変化インクの固形片であるペレットの最大寸法以上の予め定められた所定の間隙距離だけそれぞれ離間している、請求項１に記載の相変化インク画像生成機。
【請求項３】
隣接するフィンの間の複数のスペーサであって、それぞれが所定の間隙距離と同じ厚さを有するスペーサを備える、請求項２に記載の相変化インク画像生成機。
【請求項４】
複数の頂点からのインク液滴を集める溶融インク容器を備える、請求項１に記載の  相変化インク画像生成機。
【請求項５】
複数の熱伝達手段のそれぞれが温度センサを含む、請求項１に記載の相変化インク画像生成機。
【請求項６】
（ａ）画像生成機のサブシステムおよび部品のすべての動作を制御するための制御サブシステムと、
（ｂ）画像形成表面を有する可動画像形成部材と、
（ｃ）溶融した融解液状の相変化インクの液滴を画像形成表面に噴射して画像を形成するため制御サブシステムに接続されたプリントヘッドシステムと、
（ｄ）加熱および溶融される相変化インクの固形片を供給するための少なくとも一つのインク供給源と、
（ｅ）相変化インクの固形片を加熱して溶融させて溶融した融解液状インクにするため少なくとも一つのインク供給源と関連する溶融アセンブリと、
を備え、
溶融アセンブリは、
複数の離間フィンによるアレイであって、
相変化インクの固形片を受け取るための上面と、
溶融インクを吐出するための底面と、
接触状態にある固形片を溶融させるための複数の溶融表面と、
を画定し、
複数の離間フィンのそれぞれのフィンは、少なくとも１つの開口部を有し、複数の離間フィンによるアレイにおいて、それぞれのフィンのそれぞれの開口部が位置決めされている複数の離間フィンによるアレイと、
複数の熱伝達手段であって、それぞれの熱伝達手段は、複数の離間フィンにおいて位置決めされた複数の開口部の中を延在して複数の離間フィンと熱伝達接触状態となり、それぞれの熱伝達手段は、熱伝達手段と熱伝達接触状態にあるそれぞれのフィンを加熱する加熱要素を含む複数の熱伝達手段と、
を含む、相変化インク画像生成機。
【請求項７】
それぞれのフィンにおける少なくとも１つの開口部は第１部分を有し、
それぞれの熱伝達手段は、それぞれのフィンにおける少なくとも１つの開口部の第１部分と嵌まり合う形状を有する管形体を含む、請求項６に記載の相変化インク画像生成機。
【請求項８】
加熱手段が管形体の内部に配置される、請求項７に記載の相変化インク画像生成機。
【請求項９】
それぞれのフィンにおける少なくとも１つの開口部は第２部分を有し、
それぞれの熱伝達手段は、複数の離間フィンにおいて位置決めされた複数の開口部の第２部分の中を延在する温度センサを有する請求項７に記載の相変化インク画像生成機。
【手続補正２】
【補正対象書類名】明細書
【補正対象項目名】発明の名称
【補正方法】変更
【補正の内容】
【発明の名称】相変化インク画像生成機
【手続補正３】
【補正対象書類名】明細書
【補正対象項目名】００１１
【補正方法】変更
【補正の内容】
【００１１】
本発明の相変化インク画像生成機は、（ａ）画像生成機のサブシステムおよび部品のすべての動作を制御するための制御サブシステムと、（ｂ）画像形成表面を有する可動画像形成部材と、（ｃ）溶融した融解液状の相変化インクの液滴を画像形成表面に噴射して画像を形成するため制御サブシステムに接続されたプリントヘッドシステムと、（ｄ）加熱および溶融される相変化インクの固形片を供給するための少なくとも一つのインク供給源と、（ｅ）相変化インクの固形片を加熱して溶融させて溶融した融解液状インクにするため少なくとも一つのインク供給源と関連する溶融アセンブリと、を備え、溶融アセンブリは、複数の離間フィンによるアレイであって、相変化インクの固形片を受け取るための上面と、溶融インクを吐出するための底面と、接触状態にある固形片を溶融させるための複数の溶融表面と、を画定し、複数の離間フィンのうち少なくとも２つのフィンは、実質的に平坦なプレートの形を有し、アレイの上面を画定する上端と、下面を画定する底端を含み、底端は、複数の三角形形状を有し溶融したインクの滴下点となる複数の頂点を形成する複数の離間フィンによるアレイと、複数のフィンの間に延在してこれと熱伝達接触状態にある複数の熱伝達手段であって、それぞれの熱伝達手段は、熱伝達手段と熱伝達接触状態にあるそれぞれのフィンを加熱する加熱要素を有する複数の熱伝達手段と、を含むことを特徴とする。
【手続補正４】
【補正対象書類名】明細書
【補正対象項目名】００１２
【補正方法】変更
【補正の内容】
【００１２】
本発明の相変化インク画像生成機において、複数のフィンは、相変化インクの固形片であるペレットの最大寸法以上の予め定められた所定の間隙距離だけそれぞれ離間しているとしても好適である。
【手続補正５】
【補正対象書類名】明細書
【補正対象項目名】００１３
【補正方法】変更
【補正の内容】
【００１３】
本発明の相変化インク画像生成機において、隣接するフィンの間の複数のスペーサであって、それぞれが所定の間隙距離と同じ厚さを有するスペーサを備えることとしても好適である。
【手続補正６】
【補正対象書類名】明細書
【補正対象項目名】００１４
【補正方法】変更
【補正の内容】
【００１４】
本発明の相変化インク画像生成機において、複数の頂点からのインク液滴を集める溶融インク容器を備えることとしても好適である。
本発明の相変化インク画像生成機において、複数の熱伝達手段のそれぞれが温度センサを含むこととしても好適である。
本発明の相変化インク画像生成機は、（ａ）画像生成機のサブシステムおよび部品のすべての動作を制御するための制御サブシステムと、（ｂ）画像形成表面を有する可動画像形成部材と、（ｃ）溶融した融解液状の相変化インクの液滴を画像形成表面に噴射して画像を形成するため制御サブシステムに接続されたプリントヘッドシステムと、（ｄ）加熱および溶融される相変化インクの固形片を供給するための少なくとも一つのインク供給源と、（ｅ）相変化インクの固形片を加熱して溶融させて溶融した融解液状インクにするため少なくとも一つのインク供給源と関連する溶融アセンブリと、を備え、溶融アセンブリは、複数の離間フィンによるアレイであって、相変化インクの固形片を受け取るための上面と、溶融インクを吐出するための底面と、接触状態にある固形片を溶融させるための複数の溶融表面と、を画定し、複数の離間フィンのそれぞれのフィンは、少なくとも１つの開口部を有し、複数の離間フィンによるアレイにおいて、それぞれのフィンのそれぞれの開口部が位置決めされている複数の離間フィンによるアレイと、複数の熱伝達手段であって、それぞれの熱伝達手段は、複数の離間フィンにおいて位置決めされた複数の開口部の中を延在して複数の離間フィンと熱伝達接触状態となり、それぞれの熱伝達手段は、熱伝達手段と熱伝達接触状態にあるそれぞれのフィンを加熱する加熱要素を含む複数の熱伝達手段と、を含むことを特徴とする。
本発明の相変化インク画像生成機において、それぞれのフィンにおける少なくとも１つの開口部は第１部分を有し、それぞれの熱伝達手段は、それぞれのフィンにおける少なくとも１つの開口部の第１部分と嵌まり合う形状を有する管形体を含むこととしても好適である。
本発明の相変化インク画像生成機において、加熱手段が管形体の内部に配置されることとしても好適である。
本発明の相変化インク画像生成機において、それぞれのフィンにおける少なくとも１つの開口部は第２部分を有し、それぞれの熱伝達手段は、複数の離間フィンにおいて位置決めされた複数の開口部の第２部分の中を延在する温度センサを有することとしても好適である。
【手続補正７】
【補正対象書類名】明細書
【補正対象項目名】００１９
【補正方法】変更
【補正の内容】
【００１９】
実施形態において、相変化インク画像生成機は、（ａ）画像生成機のサブシステムおよび部品のすべての動作を制御するための制御サブシステムと、（ｂ）画像形成表面を有する可動画像形成部材と、（ｃ）溶融した融解液状の相変化インクの液滴を画像形成表面に噴射して画像を形成するため制御サブシステムに接続されたプリントヘッドシステムと、（ｄ）加熱および溶融される相変化インクの固形片を供給するための少なくとも一つのインク供給源と、（ｅ）相変化インクの固形片を加熱して溶融させて溶融した融解液状インクにするため少なくとも一つのインク供給源と関連する溶融アセンブリであって、複数の離間フィンによるアレイであって、相変化インクの固形片を受け取るための上面と、溶融インクを吐出するための底面と、接触状態にある固形片を溶融させるための両側溶融表面とを画定するアレイと、複数のフィンの間に延在するとともに複数のフィンとの熱伝達接触状態にある数本の熱伝達手段であって、手段を加熱するための加熱要素を含む熱伝達手段と、含む溶融アセンブリと、を包含する。